(57)【要約】【課題】本発明は、アンテナの位置を調整することができるアンテナブラケットを提供する。【解決手段】本発明に係るアンテナブラケットは、基板と、アンテナを取り付けるためのアンテナベースと、複数の可動ローラーと、２つの支持柱と、１つの梁と、第一駆動部材と、第二駆動部材と、第一電磁シールドカバー及び第二電磁シールドカバーと、を備え、基板は底面及び該底面に対向する支持面を備え、可動ローラーは底面に設置され、２つの支持柱は支持面に設置され、梁の両端は２つの支持柱に摺動可能に連接され、第一駆動部材は基板の支持面に固定され、且つ梁と連接して、梁を上下に移動させ、アンテナベースは梁に摺動可能に連接され、第二駆動部材は、梁に固定され、且つアンテナベースと連接して、梁に対して水平方向にアンテナベースを移動させ、第一電磁シールドカバーは第一駆動部材をカバーし、第二電磁シールドカバーは第二駆動部材をカバーする。【選択図】図１
2013009371.tif 000002
【特許請求の範囲】
【請求項１】
基板及びアンテナを取り付けるためのアンテナベースを備えるアンテナブラケットにおいて、
複数の可動ローラーと、２つの支持柱と、１つの梁と、第一駆動部材と、第二駆動部材と、第一電磁シールドカバー及び第二電磁シールドカバーと、を備え、
前記基板は、底面及び該底面に対向する支持面を備え、前記可動ローラーは前記底面に設置され、前記２つの支持柱は前記支持面に設置され、
前記１つの梁の両端は、前記２つの支持柱に摺動可能に連接され、前記第一駆動部材は、前記基板の支持面に固定され、且つ前記梁と連接して、前記梁を上下に移動させ、
前記アンテナベースは前記梁に摺動可能に連接され、前記第二駆動部材は、前記梁に固定され、且つ前記アンテナベースと連接して、前記梁に対して水平に前記アンテナベースを移動させ、
前記第一電磁シールドカバーは前記第一駆動部材をカバーし、前記第二電磁シールドカバーは前記第二駆動部材をカバーすることを特徴とするアンテナブラケット。
【請求項２】
前記支持柱は、高さ方向両端部の第一端部及び第二端部を備え、前記第一端部は、前記基板の支持面に固定され、且つ前記第一端部には第一スプロケット孔が設けられ、前記第二端部には、第二スプロケット孔が設けられ、
前記第一駆動部材は、第一モーター、第一駆動ギヤ、第一従動ギヤ及び第一ベルトを備え、前記第一モーターは、前記支持面に固定され、前記第一駆動ギヤを回転させ、前記第一駆動ギヤは、前記支持柱の前記第一端部内に収容され、前記第一従動ギヤは、前記支持柱の前記第二端部内に収容され、前記第一駆動ギヤ及び前記第一従動ギヤは、前記第一ベルトによって伝動し、前記第一ベルトは、前記第一スプロケット孔及び前記第二スプロケット孔を貫通し、且つ前記支持柱の両側に位置することを特徴とする請求項１に記載のアンテナブラケット。
【請求項３】
前記アンテナブラケットは、さらにサポート部を備え、前記サポート部は、摺動孔、支持部及び第一溝を備え、前記支持柱は、前記摺動孔を貫通し、且つ前記摺動孔と摺動可能に連接し、前記梁は、前記支持部に固定され、前記第一溝は、前記摺動孔と前記支持部との間に設けられ、且つ前記支持柱の高さ方向に沿って延伸し、前記第一ベルトは、前記第一溝を貫通して、ネジによって固定されることを特徴とする請求項２に記載のアンテナブラケット。
【請求項４】
前記梁の内部には空洞が設けられ、前記梁は、長さ方向両端部の第三端部及び第四端部を備え、前記梁の前記第三端部及び前記第四端部は、前記サポート部によって前記２つの支持柱に摺動可能に連接され、前記第三端部には、前記梁の前記空洞と連通する第三スプロケット孔が設けられ、前記第四端部には、前記梁の前記空洞と連通する第四スプロケット孔が設けられ、
前記第二駆動部材は、第二モーター、第二駆動ギヤ、第二従動ギヤ及び第二ベルトを備え、前記第二モーターは、前記梁の前記第三端部に固定され、前記第二駆動ギヤを回転させ、前記第二駆動ギヤは、前記梁の前記第三端部内に収容され、前記第二従動ギヤは、前記梁の前記第四端部内に収容され、前記第二駆動ギヤ及び前記第二従動ギヤは、前記第二ベルトによって伝動し、前記第二ベルトは、前記第三スプロケット孔、前記梁の前記空洞及び前記第四スプロケット孔を貫通し、前記アンテナベースは、前記第二ベルトに固定されることを特徴とする請求項３に記載のアンテナブラケット。
【請求項５】
前記アンテナブラケットは、さらに前記基板の前記底面に固定される支持脚を備え、前記支持脚は、４つの脚柱及び４つの固定脚を備え、前記４つの脚柱は、各々の一端が、互いに連接して十字型を形成し、また、他端には、前記可動ローラー及び前記固定脚がそれぞれ取り付けられ、前記４つの固定脚はネジ調整脚であることを特徴とする請求項１から４のいずれか一項に記載のアンテナブラケット。
【発明の詳細な説明】
【技術分野】
【０００１】
本発明は、アンテナブラケットに関するものである。
【背景技術】
【０００２】
小型部品の電磁干渉を測定する際、一般的には、前記小型部品を回転テーブルに固定し、その周囲に該小型部品の電磁干渉信号を受信するアンテナを固定して、前記小型部品の電磁干渉を測定する。しかし、大型部品の電磁干渉を測定する場合、大型部品の移動は困難なため、固定式アンテナを用いることによる大型部品の電磁干渉の測定は困難である。
【発明の概要】
【発明が解決しようとする課題】
【０００３】
前記課題を解決するために、本発明は、アンテナの位置を調整することができるアンテナブラケットを提供する。
【課題を解決するための手段】
【０００４】
本発明に係るアンテナブラケットは、基板と、アンテナを取り付けるためのアンテナベースと、複数の可動ローラーと、２つの支持柱と、１つの梁と、第一駆動部材と、第二駆動部材と、第一電磁シールドカバー及び第二電磁シールドカバーと、を備え、前記基板は底面及び該底面に対向する支持面を備え、前記可動ローラーは前記底面に設置され、前記２つの支持柱は前記支持面に設置され、前記梁の両端は前記２つの支持柱に摺動可能に連接され、前記第一駆動部材は、前記基板の支持面に固定され、且つ前記梁と連接して、前記梁を上下に移動し、前記アンテナベースは前記梁に摺動可能に連接され、前記第二駆動部材は前記梁に固定され、且つ前記アンテナベースと連接して、前記梁に対して水平方向に前記アンテナベースを移動し、前記第一電磁シールドカバーは前記第一駆動部材をカバーし、前記第二電磁シールドカバーは前記第二駆動部材をカバーする。
【発明の効果】
【０００５】
従来の技術と比べて、本発明に係るアンテナブラケットは、前記可動ローラーによって前記アンテナブラケットの位置を調整できる。また、前記梁及び前記アンテナベースの摺動によって、前記アンテナベースに取り付けられたアンテナの位置を上下又は水平方向に調整することができる。
【図面の簡単な説明】
【０００６】
【図１】本発明の実施形態に係るアンテナブラケットの斜視図である。
【図２】図１に示したアンテナブラケットの一部の拡大図である。
【図３】図１に示したアンテナブラケットの他角度から見た斜視図である。
【図４】図１に示したアンテナブラケットのＩＶ部分の拡大図である。
【発明を実施するための形態】
【０００７】
以下、図面を参照して、本発明の実施形態について説明する。
【０００８】
図１、図２及び図３を参照すると、本発明の実施形態に係るアンテナブラケット１００は、２つの基板１０と、２つの支持脚２０と、２つの支持柱３０と、１つの梁４０と、２つの第一駆動部材５０と、アンテナベース６０と、１つの第二駆動部材７０と、２つの第一電磁シールドカバー８０及び１つの第二電磁シールドカバー９０と、を備える。
【０００９】
前記２つの基板１０の構造は同じであり、各々の前記基板１０は、底面１１及び前記底面１１に対向する支持面１２をそれぞれ備える。前記２つの支持脚２０は、前記２つの基板１０の前記底面１１にそれぞれ固定される。各々の前記支持脚２０は、４つの脚柱２１及び４つの固定脚２３をそれぞれ備える。前記４つの脚柱２１の各々の一端２１ａは、互いに連接して十字型を形成する。また、前記４つの脚柱２１の他端２１ｂには、前記アンテナブラケット１００を移動させるための可動ローラー２２及び前記固定脚２３がそれぞれ取り付けられている。前記４つの固定脚２３はネジ調整脚であり、前記可動ローラー２２の内側に取り付けられ、前記基板１０のバランスを調整するために用いられる。
【００１０】
前記２つの支持柱３０は、前記２つの基板１０の前記支持面１２にそれぞれ設置される。本実施形態において、前記２つの支持柱３０は四角柱である。各々の前記支持柱３０は、高さ方向両端部の第一端部３２及び第二端部３３を備え、前記第一端部３２は、前記基板１０の前記支持面１２上に固定され、且つ前記第一端部３２には、第一スプロケット孔３２ａが設けられている。また、前記第二端部３３には、第二スプロケット孔３３ａが設けられる。
【００１１】
前記梁４０の両端は、前記２つの支持柱３０に摺動可能に連接される。本実施形態において、前記梁４０は中空の四角柱であり、その内部には空洞４１が設けられている。前記梁４０は、長さ方向両端部の第三端部４２及び第四端部４３を備え、該第三端部４２及び第四端部４３は、サポート部４４によって前記２つの支持柱３０に摺動可能に連接される。前記サポート部４４は、Ｆ形を呈し、且つ摺動孔４４ａ、支持部４４ｂ及び第一溝４４ｃを備える。前記支持柱３０は前記摺動孔４４ａを貫通し、前記摺動孔４４ａと摺動可能に連接される。前記支持部４４ｂの上部には、さらに開口４４ｄが設けられ、前記梁４０の前記第三端部４２及び前記第四端部４３は、ネジ９によって前記開口４４ｄに固定される。前記第一溝４４ｃは、前記摺動孔４４ａと前記支持部４４ｂとの間に設けられ、且つ前記支持柱３０の高さ方向に沿って延伸する。また、前記第三端部４２には前記梁４０の前記空洞４１と連通する第三スプロケット孔４２ａが設けられ、前記第四端部４３には前記梁４０の前記空洞４１と連通する第四スプロケット孔４３ａが設けられている。
【００１２】
前記２つの第一駆動部材５０は、前記梁４０を上下に移動させるために、前記２つの基板１０の前記支持面１２にそれぞれ固定される。前記２つの第一駆動部材５０の構造は同じであり、各々の前記第一駆動部材５０は、第一モーター５１、第一ギヤボックス５２、第一駆動ギヤ５３、第一従動ギヤ５４及び第一ベルト５５を備える。前記第一モーター５１及び前記第一ギヤボックス５２は、前記支持面１２にそれぞれ固定され、且つベルトによって伝動する。前記第一駆動ギヤ５３は、前記支持柱３０の前記第一端部３２内に収容され、且つ前記第一スプロケット孔３２ａから露出する。また、前記第一ギヤボックス５２及び前記第一駆動ギヤ５３はベルトによって伝動し、前記第一従動ギヤ５４は、前記支持柱３０の前記第二端部３３内に収容され、且つ前記第二スプロケット孔３３ａから露出する。前記第一ベルト５５は、前記第一スプロケット孔３２ａ及び前記第二スプロケット孔３３ａを貫通し、且つ前記支持柱３０の前後両側に位置し、前記第一駆動ギヤ５３及び前記第一従動ギヤ５４は、前記第一ベルト５５によって伝動する。前記サポート部４４は前記第一ベルト５５の表面部５５ａに固定され、前記第一ベルト５５は前記サポート部４４の前記第一溝４４ｃを貫通してネジによって固定される。前記第一モーター５１が回転すると、前記第一ベルト５５は駆動して、前記支持柱３０上で前記サポート部４４を上下に摺動させる。
【００１３】
前記第二駆動部材７０は、前記梁４０の前記第三端部４２に固定され、且つ前記アンテナベース６０と連接して、前記梁４０に対して水平に前記アンテナベース６０を移動させる。前記第二駆動部材７０は、第二モーター７１、第二ギヤボックス７２、第二駆動ギヤ７３、第二従動ギヤ７４及び第二ベルト７５を備える。前記第二モーター７１及び前記第二ギヤボックス７２は、前記梁４０の前記第三端部４２に固定され、且つベルトによって伝動する。前記第二駆動ギヤ７３は、前記梁４０の第三端部４２内に収容され、且つ前記第三スプロケット孔４２ａから露出する。前記第二ギヤボックス７２及び前記第二駆動ギヤ７３は、ベルトによって伝動する。前記第二従動ギヤ７４は、前記梁４０の前記第四端部４３内に収容され、且つ前記第四スプロケット孔４３ａから露出する。また、前記第二ベルト７５は、前記第三スプロケット孔４２ａ、前記梁４０の空洞４１及び前記第四スプロケット孔４３ａを貫通し、前記第二駆動ギヤ７３及び前記第二従動ギヤ７４は、第二ベルト７５によって伝動する。前記アンテナベース６０は、前記第二ベルト７５の表面部７５ａに固定され、前記第二ベルト７５は、前記アンテナベース６０の第二溝６２ｃを貫通して、ネジによって固定される。前記第二モーター７１が回転すると、前記第二ベルト７５は、前記梁４０に対して水平に前記アンテナベース６０を摺動させる。
【００１４】
前記２つの第一電磁シールドカバー８０は電磁シールド材料からなり、前記２つの基板１０の前記支持面１２にそれぞれ固定され、且つ前記第一駆動部材５０を収容する。前記第一電磁シールドカバー８０は、前記第一駆動部材５０の電磁妨害（ＥＭＩ）を防止するために用いられる。前記第一電磁シールドカバー８０の頂部には、前記支持柱３０が貫通するための第一貫通孔８１及び前記第一ベルト５５が貫通するための第二貫通孔８２が設けられている。
【００１５】
前記第二電磁シールドカバー９０も電磁シールド材料からなり、前記梁４０の前記第三端部４２に固定され、且つ前記第二駆動部材７０を収容する。前記第二電磁シールドカバー９０は、前記第二駆動部材７０の電磁妨害（ＥＭＩ）を防止するために用いられる。前記第二モーター７１及び前記第二ギヤボックス７２は、前記第二電磁シールドカバー９０の内壁９１に固定される。前記第一電磁シールドカバー８０及び前記第二電磁シールドカバー９０は、ワイヤー８によって電気エネルギーを伝導する。
【００１６】
図４を参照すると、前記アンテナベース６０は、前記梁４０に摺動可能に連接されるガイドブッシュ６１及び前記ガイドブッシュ６１に固定されるアンテナ連接部６２を備える。前記アンテナ連接部６２は、アンテナを連接するために用いられ、連接孔６２ａと、固定ネジ６２ｂ及び第二溝６２ｃと、を備える。前記第二溝６２ｃは、前記連接孔６２ａの下方に設けられ、且つ前記梁４０の長さ方向に沿って延伸する。前記固定ネジ６２ｂは、前記アンテナ連接部６２の側面に形成され且つ前記連接孔６２ａに連通するネジ孔（図示略）内に、連接孔６２ａの延在方向に対して側面から挿入される。アンテナを取り付ける場合、アンテナの固定端を前記連接孔６２ａ内に設置させた後、前記固定ネジ６２ｂを締めることによって、前記アンテナを固定することができる。
【００１７】
前記アンテナブラケット１００は、手動又は自動によって制御することができる。前記アンテナブラケット１００を自動で制御する場合、前記支持柱３０及び前記梁４０の端部にリミットスイッチを取り付けることによって、前記梁４０及び前記アンテナベース６０の移動範囲を制限しても良い。
【００１８】
本発明のアンテナブラケット１００は、前記可動ローラー２２によって前記アンテナブラケット１００の位置を調整できる。また、前記梁４０及び前記アンテナベース６０の摺動によって、前記アンテナベース６０に取り付けられたアンテナの位置を上下又は水平方向に調整することができる。
【符号の説明】
【００１９】
１００  アンテナブラケット
１０  基板
１１  底面
１２  支持面
２０  支持脚
２１  脚柱
２１ａ  一端
２１ｂ  他端
２２  可動ローラー
２３  固定脚
３０  支持柱
３２  第一端部
３２ａ  第一スプロケット孔
３３  第二端部
３３ａ  第二スプロケット孔
４０  梁
４１  空洞
４２  第三端部
４２ａ  第三スプロケット孔
４３  第四端部
４３ａ  第四スプロケット孔
４４  サポート部
４４ａ  摺動孔
４４ｂ  支持部
４４ｃ  第一溝
４４ｄ  開口
８  ワイヤー
９  ネジ
５０  第一駆動部材
５１  第一モーター
５２  第一ギヤボックス
５３  第一駆動ギヤ
５４  第一従動ギヤ
５５  第一ベルト
５５ａ  表面部
６０  アンテナベース
６１  ガイドブッシュ
６２  アンテナ連接部
６２ａ  連接孔
６２ｂ  固定ネジ
６２ｃ  第二溝
７０  第二駆動部材
７１  第二モーター
７２  第二ギヤボックス
７３  第二駆動ギヤ
７４  第二従動ギヤ
７５  第二ベルト
７５ａ  表面部
８０  第一電磁シールドカバー
８１  第一貫通孔
８２  第二貫通孔
９０  第二電磁シールドカバー
９１  内壁
【図１】
2013009371.tif 000003
【図２】
2013009371.tif 000004
【図３】
2013009371.tif 000005
【図４】
2013009371.tif 000006